(57)【要約】      （修正有）【課題】溶接用フランジの取り付け時、フランジの穴の水平と角度を容易に確認しながら仮付溶接できる。【解決手段】水平器に軸となる丸鋼を水平器の両端に軸を固定させる金具を取り付け、さらに軸にフランジに合った同じピン二個を取り付け、水平器の両端に取り付けた金具のネジと軸を差し込んだ所のネジを締め付けて全体を固定させ、フランジの穴に合ったピンを差し込んで、フランジの水平とフランジと鋼管の出入りを確認する。これにより仮付溶接が出来、また鋼管を回せば、簡単にフランジの倒れを見ることが出来る。【選択図】なし【特許請求の範囲】
【請求項１】
＊  現在の水平器に（（図Ａ））−１のように、軸となる精密加工をしたステンレスの丸鋼材を固定（（図Ａ））−４の〔図２〕のように、水平器に軸を取り付ける為の物を図のように差し込み式にして固定ネジで固定して軸が取り付けられるようにする。軸となる丸鋼の両端を正方形の形に機械加工をして、軸の取り付け位置に差し込み軸にピン（コマ）（（図Ａ））−２、〔図１〕を図のように軸に通して片方も同じように軸に差し込み固定ネジで水平器に固定して、（（図Ａ））−３のように軸の両端の固定ネジで固定する。
＊  各種類のフランジが有り、５Ｋ，１０Ｋ，２０Ｋ，など大中小のサイズのフランジが有り、ボルト穴なども大中小有りますが、（（図Ａ））−２、〔図１〕のように機械加工をするのですが、フランジのボルト穴はボルトに余裕を持たせるために少し、大きめなのでそのためピン（コマ）を各種類のフランシの穴にピッタリ合った寸法で機械加工をして同じ物を二個製作して一組として、フランジ水平器に取り付けてフランジのボルト穴に差し込み、フランジの水平を見る。（（図Ａ））−４のように使用する。
＊  ピン（コマ）は、５Ｋのフランジ用としてＮｏ．１は１０Ａ〜２５Ａのフランジの穴に入るように、３２Ａ〜６５Ａのフランジの穴に入るように、８０Ａ〜１５０Ａのフランジの穴に入るように二個製作して一組にするＮｏ．２は２００Ａ〜３００Ａ．３５０Ａ〜５００Ａのフランジの穴に入るに二個製作して一組にして、わかるように、５Ｋ，Ｎｏ．１，５Ｋ，Ｎｏ．２の印を付ける。１０Ｋ，Ｎｏ．１，１０Ｋ，Ｎｏ．２の印を付ける。
１０Ｋのフランジは１０Ａ〜２０Ａ，２５Ａ〜１００Ａ，１２５Ａ〜２００Ａ迄を１０Ｋ，Ｎｏ．１に、２５０Ａ〜３５０Ａ，４００Ａ〜５００Ａ，５５０Ａ〜６００Ａ迄を１０Ｋ，Ｎｏ．２の印を付ける。２０Ｋのフランジも同じように、２０Ｋ，Ｎｏ．１，２０Ｋ，Ｎｏ．２の印を付け、見やすく、分かり易くする。    （（図Ａ））−２の〔図１〕別紙参照
＊  ２０Ｋのフランジのサイズが大きくなり、ピン（コマ）も大きくなる為水平器もピン（コマ）に合わせて、専用のフランジ水平器を製作する。
＊  ピン（コマ）を水平器に対して直角にすると普通の水平器として使える。
【発明の詳細な説明】
（発明の名称）    配管用フランジ専用水平器
（（図Ａ））−１，２    本体の〔平面図〕並び〔断面図〕
＊  使用説明として
各種類のフランジ（溶接用とネジ用）でパイプにフランジ取付け時に使用する物で、フランジのボルト穴に（（図Ａ））−３、−４の様に取付けて簡単に片手でフランジの水平を出すことが出来て仮付け溶接が出来る。
2005300507.tif 000002
（書類名）            図面並び詳細説明
（発明の名称）    配管用フランジ専用水平器
2005300507.tif 000003
（書類名）              図面並び詳細説明
（発明の名称）      配管用フランジ専用水平器
（（図Ａ））−２〔図１〕
＊５Ｋフランジのボルト呼び寸法
（Ｎｏ．１）  Ｍ１０．Ｍ１２．Ｍ１６
（Ｎｏ．２）  Ｍ２０．Ｍ２２．Ｍ２４
一つのピン（コマ）で、各種類のフランジ穴に入るように製作する。
＊１０Ｋフランジのボルト呼び寸法
（Ｎｏ．１）  Ｍ１２．Ｍ１６．Ｍ２０
（Ｎｏ．２）  Ｍ２２．Ｍ２４．Ｍ３０
一つのピン（コマ）で、各種類のフランジ穴に入るように製作する。
＊２０Ｋフランジのボルト呼び寸法
（Ｎｏ．１）  Ｍ１２．Ｍ１６．Ｍ２０．Ｍ２２．
（Ｎｏ２）  Ｍ２４．Ｍ３０．Ｍ３６
一つのピン（コマ）で、各種類のフランジ穴に入るように製作する。
＊  各種類のフランジのピン（コマ）を機械加工をして、各種類のフランジの専用のフランジ水平器を製作して、フランジに合ったピン（コマ）（１０ＫのＮｏ．１）を取り替え出来るように、各種類の専用ピン（コマ）を製作する。
＊  フランジのボルト穴には、ボルトに余裕を持たせるためにボルト穴の方が大きいので、ピン（コマ）の寸法を各種類のフランジのボルト穴の径でピッタリ合うように製作する。
2005300507.tif 000004
2005300507.tif 000005
2005300507.tif 000006
2005300507.tif 000007
【手続補正書】
【提出日】平成16年9月22日(2004.9.22)
【手続補正１】
【補正対象書類名】明細書
【補正対象項目名】全文
【補正方法】変更
【補正の内容】
【発明の詳細な説明】
【技術分野】
【０００１】この発明は、フランジ専用の水平器で、配管の溶接用のフランジを取り付けに最適で、普通の水平器としても使用出来る。【０００２】現在の水平器での、溶接用フランジの取り付けでは、二人でがかりでやつます。一人が溶接の仮付をして、もう一人が配管にフランジを差し込み、配管とフランジの出入りを確認して、フランジのボルト穴に水平器を当てて、フランジの水平を確認して動かさない用に両手で固定をして溶接の仮付をして、フランジの水平と倒れを確認して、四ヶ所の仮付をしていますが。この発明のフランジ専用の水平器を使うと、一人で簡単に早く確実に取り付ける事が出来る。【０００３】「図  ２」のように、フランジのボルト穴に差し込み、配管とフランジの出入りを確認して動かさないように片手で固定して、溶接の仮付が出来てそのまま配管のパイプを回して、フランジの倒れが確認が出来、反対側のフランジの取り付けをする時に、仮付をしたフランジに専用の水平器のコマを差し込み水平にしたままにして、反対側のフランジの取り付けも同じようにしてフランジの取り付けをする。
【図面の簡単な説明】
【０００４】
【図１】全体の平面図及びＡ−Ａ断面図
【図２】正面図及びＡ−Ａ断面図
【図３】コマ立体図及び源寸法図
【図４】本体の立体図及び源寸法図
【図５】組立図
【符号の説明】
【０００５】１  、水平器の本体
２  、軸受け補強材
３  、磁石
４  、軸
５  、軸の固定ネジ
６  、軸受け補強材固定ネジ
７  、コマ（５Ｋフランジの１０Ａ〜８０Ａ）
８  、５Ｋフランジのボルト穴  １０Ａ〜２５Ａ、Ｍ−１０
９  、５Ｋフランジのボルト穴  ３２Ａ〜６５Ａ、Ｍ−１２
１０、５Ｋフランジのボルト穴  ８０Ａ〜１５０Ａ、Ｍ−１６
１１、丸く削り取る。
１２、コマを水平にした時に、直角になるようにする。
１３、水平器の部分に差し込み式にして固定する。
１４、５Ｋフランジ
１５、５Ｋフランジの穴
１６、配管（パイプ）
【手続補正２】
【補正対象書類名】図面
【補正対象項目名】全図
【補正方法】変更
【補正の内容】
【図１】
2005300507.tif 000008
【図２】
2005300507.tif 000009
【図３】
2005300507.tif 000010
【図４】
2005300507.tif 000011
【図５】
2005300507.tif 000012